(57)【特許請求の範囲】
【請求項１】
テントフラップの下端部分の左右の端部にゴム等からなる弾性部材を介して固定された略Ｓ字状の金具からなる第１の掛止手段と、
当該第１の掛止手段と対応してテント用ポールの下端部分に取り付けられたリング状金具からなる第２の掛止手段であって、前記第１の掛止手段が掛止される第２の掛止手段と、
を有するテントフラップのバタつき防止構造。
【請求項２】
前記テント用ポールは、ルーフ部分を構成する天幕の隅部を支持するために、先端部にロープが取り付けられてテント設営場所に固定されるものであり、
前記テントフラップは、当該天幕から下方に吊り下げられ、隣接するテントフラップ同士がファスナーにて互いに連結されるものであることを特徴とする請求項１に記載のテントフラップのバタつき防止構造。
【発明の詳細な説明】
【０００１】
【発明の属する技術分野】
本発明は、テント及びテント用のポールに関し、特に、テントフラップ（テント開口部を開閉するためのスクリーン）のバタつきを抑えることができるテントフラップのバタつき防止構造及びそのために使用するのに特に適したテント用ポールに関するものである。
【０００２】
【従来の技術】
従来、キャンプ等での使用に適したテントが種々提案されており、これらのテントにおいて、テントの開口部（出入口）を覆うフラップ又は出入口をファスナーにてテント本体に連結することがなされている。
【０００３】
【発明が解決しようとする課題】
しかし、上記従来のテントにおいては、ファスナーによる締め付けのみであるため、テントフラップの下端部が風に煽られてバタついてしまい、音がうるさいとか、テント内部にほこり、ゴミや虫等が入り易いということを防止できないという課題がある。
【０００４】
また、ルーフ部分を構成する天幕と、当該天幕の各辺縁部から下方に延設されたテントフラップと、前記天幕の隅部を支持するために、先端部にロープが取り付けられてテント設営場所に固定されるテント用ポールとを備えたテントにおいて、隣接するテントフラップ同士をファスナーにて連結すると、タープのようにも使用できるタープ型テントが容易に構成できる。
しかしながら、このようなタープ型テントにおいては、ファスナーを外して１つのテントフラップを開いて出入口を設けると、その開かれたテントフラップに隣接するテントフラップが支えを失ってしまい、風に煽られてバタつくとか、テント全体の安定性が悪くなるという問題がある。
【０００５】
上記のようなテントフラップのバタつきの問題を解決するためには、一般にテントフラップの下端部に紐等を取り付け、その紐を地面に打ち込んだペグにて固定することが考えられる。
しかしながら、このような固定方法によれば、ペグを複数打ち込まなければならず、面倒であるという問題があり、このような方法によるテントフラップのバタつき防止は非常に煩雑である。
【０００６】
そこで、本発明の目的は、簡便でしかも確実に使用できるテントフラップ（出入口）のバタつき防止構造を提供し、特に風の強い日における野外でのキャンプ等における使用にも適したテントフラップのバタつき防止構造を提供することにある。
さらに、本発明の目的は、テントフラップのバタつき防止構造のために使用するのに特に適したテント用ポールを提供することにある。
【０００７】
【課題を解決するための手段】
上記課題を解決するため、本発明の採った手段は、請求項１に記載されているように、テントフラップ１２の下端部分の左右の端部にゴム等からなる弾性部材１６を介して固定された第１の掛止手段１７と、当該第１の掛止手段と対応してテント用ポール２０の下端部分に取り付けられたリング状金具からなる第２の掛止手段２２であって、前記第１の掛止手段が掛止される第２の掛止手段と、を有するテントフラップのバタつき防止構造である。
【００１０】
従って、この場合、テント用ポールの下端部分に予め設けられた第２の掛止手段に第１の掛止手段を掛止するだけで、簡単にテントフラップのバタつきが防止されるが、特にその操作は、Ｓ字状の金具をリング状金具に掛止するだけであるため、着脱を簡単かつ迅速に行うことができる。
【００１１】
さらに、テントフラップとテント用ポールとの間には、弾性部材が介在されるため、テントフラップ等の寸法又はテント用ポールの設置位置等の誤差（変動）が大きくても、テントフラップを簡単に常に張った状態とすることができ、実際の使用に際して大変便利である。
【００１２】
本発明は、請求項２に記載されているように、前記テント用ポール２０が、ルーフ部分を構成する天幕１１の隅部を支持するために、先端部にロープ２１が取り付けられてテント１０設営場所に固定されるものであり、前記テントフラップ１２が、当該天幕から下方に吊り下げられ、隣接するテントフラップ同士がファスナー１３にて互いに連結されるものであってもよい。
【００１３】
従って、天幕の支持と、テントフラップの支持（バタつき防止）がテント用ポールを用いて簡単に行われることになり、しかも、風によってテントフラップを閉じるファスナーが緩んでしまうことがなく、テントの安定性、テント内へのごみや虫等の浸入防止性能等を高めることができる。
【００１７】
【発明の実施の形態】
本発明のテントフラップのバタつき防止構造及びテント用ポールの実施の形態（一実施例）について図面に従って説明する。
本発明を具体化したテント１０は、図１〜図３に示すように、略６角形状のルーフ部分を構成する天幕１１と、当該天幕１１の各辺縁部に縫い付けられて延設された６つのテントフラップ１２と、前記天幕１１の隅部を支持するために、先端部にロープ（引き綱）２１が取り付けられてテント設営場所に立設固定されるテント用ポール２０とを備えている。
【００１８】
前記各テントフラップ１２の側辺部には、ファスナー１３が取り付けられている。そして、前記テントフラップ１２は、テント１０の使用時において、前記天幕１１から下方に吊り下げられ、隣接するテントフラップ１２同士が前記ファスナー１３にて互いに連結されるようになっている。
従って、ファスナー１３を外すことによってテントフラップ１２を巻き上げて天幕１１の端部に保持させることができ、当該部分をテント内部への出入口（開口部）としたり、全てテントフラップ１２を巻き上げて天幕１１の端部に保持させることによって、タープのようにも使用できる。
【００１９】
尚、本実施例の前記テントフラップ１２は、防虫、通気、透光等を考慮してメッシュから構成されているが、全てのテントフラップ１２がメッシュである必要はなく、又、各テントフラップ１２の下端部に設けたマッドスカート（泥除け）１４は、部分的に省略してあったり、全て無くてもよい。
【００２０】
前記各テントフラップ１２の下端部分の左右両端部内側には、前記ファスナー１３の下端部と対応して縫い付けられた布片１５を介してゴムからなる環状の弾性部材１６が取り付けられている。そして、その弾性部材１６には、略Ｓ字状の金具からなる第１の掛止手段１７が取り付けられている。
一方、前記テント用ポール２０の下端部分には、図１及び図３に示すように、リング状金具からなる第２の掛止手段２２が取り付けられている。
【００２１】
そして、この第２の掛止手段２２には、前記第１の掛止手段１７が掛止できるようになっている。
尚、第１の掛止手段１７の先端部には、若干太く形成された球状部となっており、第２の掛止手段２２から第１の掛止手段１７が外れにくくなっている。
【００２２】
ここで、前記テント用ポール２０の下端部分に設けられる第２の掛止手段２２としては、図１及び図３に示すリング状金具に代えて、図４に示すように、テント用ポール２０の下端部分に設けた透孔２３を第２の掛止手段として実施してもよい。この場合、透孔２３に対して第１の掛止手段１７の先端部分が挿入されて第１の掛止手段１７がテント用ポール２０に直接掛止されることになる。
【００２３】
上記構成されたテントフラップ１２のバタつき防止構造及びテント用ポール２０を備えたテント１０の使用方法について説明する。
このテント１０を使用する際には、まず、天幕１１の６つの隅部に固定された環状の留め金具にテント用ポール２０の先端部（小径部）を挿通し、天幕１１を張りながら各テント用ポール２０を立てた状態となるようにして、順次テント用ポール２０の先端部に取り付けたロープ（引き綱）２１をテント設営地の地面にペグ２４等を用いて固定する。
【００２４】
このテント１０の各テントフラップ１２は、その左右の側辺にファスナー１３を備えているので、天幕１１から吊り下げられた状態でファスナー１３を閉じれば、テントフラップ１２同士を互いに連結することができる。
【００２５】
そこで、テントフラップ１２の下端部分左右両端部に設けた第１の掛止手段をテント用ポール２０の第２の掛止手段２２に掛ければ、テントフラップ１２の下端部が風に煽られてもバタつくことはない。
尚、前記第２の掛止手段２２と前記第１の掛止手段１７は、弾性部材１６を介して互いに連結されているため、テントフラップ１２を常に適度に張った状態にすることができる。
【００２６】
テント１０の使用後は、掛止手段１７，２２同士の掛止状態を外し、ロープ２４、テント用ポール２０を外し、テントフラップ１２、天幕１１を折り畳み収納すればよい。
【００２７】
次に、本発明を具体化した他の実施例について図５に従って説明するが、前記実施例と同一の部材については、同一の符号を付して説明を省略する。
本実施例のテントフラップのバタつき防止構造においては、布片１５をテントフラップ１２の外側に縫い付けている。そして、ゴムからなる環状の弾性部材１６の代わりに、金属製のリング１８を取り付けている。そして、そのリング１８に略Ｓ字状の金具からなる第１の掛止手段１７が取り付けられている。
この場合、布片１５に弾力性を持たせれば、テントフラップ１２を常に張った状態で保持できるので、好ましい。
【００２８】
本発明は、上記実施例に限定されるものではなく、本実施例における第１の掛止手段１７を環状金具とし、第２の掛止手段２２を略Ｓ字状の金具として実施したり、第１及び第２の掛止手段として、ワンタッチで互いに着脱可能な各種のバックルを用いて実施したり、弾性部材を省略して実施してもよい。
但し、弾性部材を省略する場合には、テントフラップ１２等の寸法精度を高めたり、掛止手段１７，２２自体に弾性を持たせたり、テントフラップ１２等の弾力性を利用することが好ましい。
【００２９】
さらに、本発明の趣旨を逸脱しない範囲で、第１及び第２の掛止手段１７，２２、弾性部材１６、テント用ポール２０、天幕１１、テントフラップ１２等の形状、寸法、取り付け位置、数量、材質（例えば、第１及び／又は第２の掛止手段を合成樹脂から製造したり、弾性部材１６を金属バネ又は合成樹脂等から製造してもよい。）等を適宜変更して実施してもよい。
【００３０】
【発明の効果】
以上詳述したように、本発明のテントフラップのバタつき防止構造及びテント用ポールにおいては、製造及び取り扱いが容易でありながら、テントフラップのバタつきを確実に抑えることができるという優れた効果を奏する。
【００３１】
特に請求項１に記載のテントフラップのバタつき防止構造においては、テント用ポールの下端部分に予め設けられた第２の掛止手段に第１の掛止手段を掛止するだけで、簡単にテントフラップのバタつきを防止することができる。
【００３２】
特にその操作は、Ｓ字状の金具をリング状金具に掛止するだけであるため、着脱を簡単かつ迅速に行うことができる。
【００３３】
さらに、テントフラップとテント用ポールとの間には、弾性部材が介在されるため、テントフラップ等の寸法又はテント用ポールの設置位置等の誤差（変動）が大きくても、テントフラップを簡単に常に張った状態とすることができ、実際の使用に際して大変便利である。
【００３４】
請求項２に記載のテントフラップのバタつき防止構造においては、天幕の支持と、テントフラップの支持（バタつき防止）がテント用ポールを用いて簡単に行われることになり、しかも、風によってテントフラップを閉じるファスナーが緩んでしまうことがなく、テントの安定性、テント内へのごみや虫等の浸入防止性能等を高めることができるという優れた効果を奏する。
【図面の簡単な説明】
【図１】  本発明のテントフラップのバタつき防止構造を示す斜視図。
【図２】  本発明に係るテントを示す全体斜視図。
【図３】  本発明に係るテント用ポールを示す正面図。
【図４】  本発明に係るテント用ポールの他の実施例の部分拡大正面図。
【図５】  本発明のテントフラップのバタつき防止構造の他の実施例を示す斜視図。
【符号の説明】
１０  テント
１１  天幕
１２  テントフラップ
１３  ファスナー
１４  マッドスカート
１５  布片
１６  弾性部材
１７  第１の掛止手段
１８  リング
２０  テント用ポール
２１  ロープ
２２  第２の掛止手段（リング状金具）
２３  透孔（第２の掛止手段）
２４  ペグ
【図１】
0003918122.tif 000002
【図２】
0003918122.tif 000003
【図３】
0003918122.tif 000004
【図４】
0003918122.tif 000005
【図５】
0003918122.tif 000006